(57)【特許請求の範囲】
【請求項１】
棒状化粧料（１００）を収納保持する皿部（３１）及び該皿部（３１）の下方に伸びるスカート部（３３）を一体に形成する化粧料保持筒（３）と、該化粧料保持筒（３）を収納するよう上端を開口する筒状のスリーブ（５）と、該スリーブ（５）を内挿固定する中ハカマ（７）および本隊筒（９）と、該中ハカマ（７）および本隊筒（９）内に上下摺動自在に内挿され上端が本隊筒（９）より外部に露出してスライド釦（５３）となり裏面に化粧料保持筒（３）下部に連結する連結部材（５１）を垂設した操作部（１）と、スリーブ（５）の開口側を覆うと共に操作部（１）の上端を当接し摺動を抑止するキャップ（１１）と、前記化粧料保持筒（３）のスカート部（３３）と前記スリーブ（５）の内面との間に軽い押圧力を生じさせ化粧料保持筒（３）の摺動に安定した摩擦抵抗を発生せしめる弾性部とより成り、手指で上下に摺動される操作部（１）に連動して化粧料保持筒（３）を摺動させ棒状化粧料（１００）を昇降する棒状化粧料繰出し容器において、
前記化粧料保持筒（３）と操作部（１）を別体に形成し、上下端を有した操作部ガイド孔（７１）をスリーブ（５）下部に設け、前記スカート部（３３）に連結孔（３９）を設け、前記連結部材（５１）はスリーブ（５）側壁に設けられた操作部ガイド孔（７１）を挿通してスカート部（３３）に設けられた連結孔（３９）に遊嵌すると共に操作部（１）を本隊筒（９）内に内装することで化粧料保持筒（３）と操作部（１）とが互いに係合し、操作部（１）が脱落不能に連結すると共に操作部ガイド孔（７１）により摺動上下限を決定させることを特徴とする棒状化粧料繰出し容器。
【発明の詳細な説明】
【技術分野】
【０００１】
本発明は、口紅、スティックファンデーション等の棒状化粧料の繰り出しと収納を操作部の上下摺動によって操作する形態の棒状化粧料繰出し容器に関する。
【背景技術】
【０００２】
棒状化粧料の繰出し機構を簡略化するため操作部を上下摺動する化粧料容器が特許文献１に提案されている。
【０００３】
【特許文献１】実告平０３−１０８９６号公報
【発明の開示】
【発明が解決しようとする課題】
【０００４】
特許文献１では本体に該当する把持筒の上端部に指掛け板を嵌合する切欠きを穿設させ、スリーブに該当する保護筒の下端部を本体の上端部内に上下挿脱可能に形成している。指掛け板と棒状化粧料を収納する受筒はＵ字状を形成するアーム部の両端に付設し、受筒を保護筒の下端部内へ上下摺動自在に形成されている。
【０００５】
保護筒に挿着するキャップは受筒と一体に形成される指掛け板を当接することで棒状化粧料を収納する受筒が保護筒より不用意に突出しないよう化粧料の破損を防ぐ工夫がなされている。しかし、棒状化粧料をスリーブ上端より突出させ、肌に塗布する際にかかる圧力が棒状化粧料を不用意に押し戻してしまうカップダウンが発生してしまう。また、受筒を保護筒の下端部内へ上下に摺動する操作力を所定範囲に収めるためにアーム部を溝に圧接する必要があるが、弾性を有するアーム部と溝との接触位置が変化し安定した操作力を出すことは困難であった。
【０００６】
特許文献１で示された実施例のもとでこうした問題を解決する場合には溝の端部に接触位置が変化するアーム部の断面形状を先端側、基端側との間で接触圧が変化するよう設計しなければならないといった問題点があった。こうした操作力の安定を部品精度の向上、複雑形状に頼ろうとする場合には部品価格を大幅に上昇させるといった新たな問題が生じてしまう。
【０００７】
本発明はこうした問題点に鑑みてなされたものでその目的とするところは、操作部が所定の安定した操作力で上下操作できる棒状化粧料繰出し容器を安価に提供しようとするものである。
【課題を解決するための手段】
【０００８】
上記目的を達成するため化粧料保持筒のスカート部にスリーブの内面との間を軽く圧接し安定した摩擦抵抗を発生せしめる。
【０００９】
即ち、棒状化粧料を収納保持する皿部及び該皿部の下方に伸びるスカート部を一体に形成する化粧料保持筒と、化粧料保持筒を収納するよう上端を開口する筒状のスリーブと、スリーブを内挿固定すると共に操作部の上下動作と位置決めを可能とする中ハカマと、互いに摺動方向を同一にする操作部と化粧料保持筒とを連結する連結部材と、スリーブの開口側を覆うと共に操作部の上端を当接し摺動を抑止するキャップと、化粧料保持筒のスカート部とスリーブの内面との間に軽い圧接し軽い押圧力を生じさせ化粧料保持筒の摺動に安定した摩擦抵抗を発生せしめる弾性部とよりなるものである。
【００１０】
そして、化粧料保持筒と操作部とが別体に形成され、操作部裏面に垂設される連結部材はスリーブ５側壁に設けられた操作部ガイド孔（７１）を挿通してスカート部（３３）に設けられた連結孔（３９）に遊嵌することで化粧料保持筒（３）と操作部（１）とが互いに係合し連結する。
【発明の効果】
【００１１】
本発明棒状化粧料繰出し容器にあっては次に記載する効果を奏する。弾性部は化粧料保持筒のスカート部またはスカート部の外周に設けられる弾性部とスリーブの内面との間で変形され応力を発生する。弾性部はスカート部の所定位置に設定されていることから弾性部の変形量は操作部の摺動に関わらず一定であり、スカート部あるいは弾性部の弾性変形に伴う応力の変動は剛体に比べ小さい。そのためスカート部とスリーブの内面との隙間を高精度に所定寸法を追わずとも組み立て上安定した摺動抵抗を得られ、快適な操作感を安価に作り出せる効果がある。
【００１２】
また安定した摺動抵抗は棒状化粧料を塗布する際にかかる圧力が棒状化粧料を不用意に容器内に押し戻してしまうカップダウンの発生を防止すると共に化粧料保持筒不用意な摺動を抑え安定した高級な操作感が得られる効果がある。
【００１３】
またスリーブの内面に沿って滑らかに上下摺動する化粧料保持筒と中ハカマに上下動作と位置決め可能にする操作部が別体に形成され、操作部裏面から化粧料保持筒のスカート部に向かって伸びる連結部材が形成される。連結部材は化粧料保持筒のスカート部と操作部とを連結する化粧料保持筒の操作を可能にすると共に化粧料保持筒と操作部を組立てやすい単純な形状にすることで成形、組立てコストの低減を図れる。
【００１４】
さらにキャップはスリーブの開口側を覆うと共に操作部の上端を当接し化粧料保持筒の上方摺動を抑止する効果がある。
【発明を実施するための最良の形態】
【００１５】
図１は上下に摺動する操作部に連動して棒状化粧料を昇降する本発明棒状化粧料繰出し容器の断面説明図である。図１（Ａ）は本発明棒状化粧料繰出し容器の正面断面図、図１（Ｂ）は本発明棒状化粧料繰出し容器の側断面図を示す。
【００１６】
棒状化粧料１００は皿部３１に充填保持されている。皿部３１は皿部の下方に延設されるスカート部３３と共に化粧料保持筒３を構成している。化粧料保持筒３は弾性を有する熱可塑性樹脂で形成される。図１（Ａ）、（Ｂ）においてスカート部３３は縦長に形成する４本の切り欠き３８で分割された互いに対向する一対からなる脚板３５と一対の脚板３５の間に位置する連結板３６で構成され、脚板３５の内側下端にスプリング係合部３７が形成されている。一対のスプリング係合部３７には第１の弾性材である湾曲した板バネ２１０の端部がそれぞれ係止され脚板３５の下端が互いに離間するよう弾撥付勢する。また脚板３５の間に配された連結板３６の下端側には手指で操作する操作部１を係合し連結する連結孔３９が設けられている。
【００１７】
操作部１は図１（Ｂ）に示されるように上端を開口し化粧料保持筒３を摺動可能に内挿するスリーブ５と中ハカマ７を覆う本体筒９との間で上下摺動可能に挟持されている。またスリーブ５に面する操作部１の裏面側には連結孔３９に嵌合する連結部材５１が垂設されると共に表面側に本体筒９の側面にもうけられる釦収納凹部７３より突出し、手指で摺動操作がしやすいスライド釦５３を形成している。
【００１８】
化粧料保持筒３を摺動可能に内挿するスリーブ５の下側には連結部材５１を挿通すると共に縦長に伸びる操作部１の摺動範囲と方向を規制する操作部ガイド孔７１が設けられている。
【００１９】
キャップ１１は本発明棒状化粧料繰出し容器のキャップ付外観図である図２に示されるようにスリーブ５、本体筒９の上部を閉蓋する。キャップ１１の内面上端には内キャップ１３が設けられスリーブ５の上端を嵌合する。中ハカマ７の上端側外周には大径部９３が形成されキャップ１１の開口縁部９１に当接し嵌合深さを決定する。スライド釦５３は本体筒９に形成する釦収納凹部７３に下方移動不能に挿入されると共に大径部９３に当接されるキャップ１１の開口縁部９１にスライド釦上縁部５５が当接し上方移動不能にされる。従ってキャップ１１により閉蓋された棒状化粧料繰出し容器は棒状化粧料１００が繰り上がることはなく、棒状化粧料１００が内キャップ１３に当接するなどして不用意な型崩れを起こす不具合はない。
【００２０】
図３は本発明棒状化粧料繰出し容器の使用状態外観図でキャップ１１が本体筒９の上部より取り外されスリーブ５の上端開口側より棒状化粧料１００が繰り上げられた状態を示す。棒状化粧料１００は操作部１を構成するスライド釦５３を上方に押し上げることで連結孔３９と連結部材５１との係合により棒状化粧料１００を収納する皿部３１を一体に押し上げる。図１に示す皿部３１はスカート部３３と共に化粧料保持筒３を構成するものでスリーブ５との間をバネ弾性等で安定した圧接力を加え摺動摩擦を生じさせる。
【００２１】
図４は棒状化粧料繰出し容器よりキャップ１１を外した状態を示した棒状化粧料の繰上げ説明図である。図４（Ａ）は棒状化粧料の繰下げ状態を示す側断面図、図４（Ｂ）は棒状化粧料の繰上げ状態を示す側断面図を示す。
【００２２】
図４（Ａ）は図２に示されると同様に棒状化粧料１００が最下部に繰下げられた状態を示す。ここでキャップ１１により上方移動を抑えられていた操作部１は矢印Ａ方向への摺動を可能となる。記号５３は手指で操作部１を構成し上下操作するスライド釦である。操作部１の裏面には連結部材５１が垂設される。連結部材５１はスリーブ５下端に設けられた操作部ガイド孔７１を挿通して連結板３６に設けた連結孔３９に遊嵌することで互いに係合し連結する。そこで化粧料保持筒３はスライド釦５３の手指操作に従いスリーブ５内を矢印Ａ方向に摺動し、操作部ガイド孔７１の上端に操作部１が当接する図４（Ｂ）の位置まで移動される。図４（Ｂ）の状態は図３において外観正面として見られる。
【００２３】
図４において一対の脚板３５には湾曲した板バネ２１０が係合され、双方が離間する方向に弾撥されている。そのためスリーブ５の内面は脚板３５によって押圧される。板バネ２１０の弾撥力は一対の脚板３５に形成されるスプリング係合部３７の間隔によって決定されるが、スプリング係合部３７の間隔によって変動する弾撥力の変動は小さく個別の棒状化粧料繰出し容器の板バネ２１０の弾撥力の差を小さく抑えることができる。したがってスリーブ５と脚板３５との間は板バネ２１０によって決定される所定の弾撥力で押圧でき、組み立て作業を容易にする。
【００２４】
また棒状化粧料繰出し容器で化粧中に棒状化粧料が繰下がってしまうカップダウンを抑える摺動力は重めがよいが操作力も考慮すると３００グラム前後が良好である。繰上げ、繰下げにかかる操作力の基となる摺動力はスリーブ５と脚板３５との間の弾撥力に起因する摩擦力によって生じる。したがって棒状化粧料繰出し容器の良好な摺動力は板バネ２１０の特性を管理することで所定の摺動力を容易に再現できる。
【００２５】
また化粧料保持筒３の繰上げ繰下げ操作には摩擦力より大きな摺動力が必要であることからキャップ１１を外された棒状化粧料繰出し容器であっても棒状化粧料繰出し容器の上下反転、軽い振動程度では棒状化粧料１００を不用意に突出することはなくなる。
【００２６】
さらに図１、図４の実施例では操作部１と化粧料保持筒３が別体に構成され、操作部１の裏面に垂設された連結部材５１は連結板３６に設けられた連結孔３９に挿入され係合され連結している。操作部１を手指で矢印Ａ方向に操作しようとする場合、操作部１には摺動方向である矢印Ａ方向に加えこれに直交する矢印Ｂ方向にも押圧力が分散する。手指で加えられる押圧力は不安定であるがその不安定な押圧力は操作部１とスリーブ５、スリーブ５に形成された操作部ガイド孔７１近傍との押圧力のみが操作部１の操作力に加えられる。しかし、脚板３５、連結板３６を含むスカート部３３を不規則に変形するような押圧力はかからず摺動力が大きく変動する不具合は生じない。
【００２７】
以上図１、図４に基づく説明でスカート部３３が縦長に形成される４本の切り欠き３８で分割されているが、切り欠き３８の本数は１本以上であれば足りるものである。一本の切り欠き３８のみの場合脚板３５は一枚となるが、スカート部３３が切り欠き３８によって分離され離間可能になる。そのため切り欠き３８の近傍が対となって弾性変形することから一組の脚板３５と認識できる。したがって本発明にあっては一本の切り欠き３８により分離するスカート部３３も一対の脚板３５とするものである。
【００２８】
また図１、図４では連結孔３９を連結板３６に貫通させて形成しているがスカート部３３を縦に複数分割する切り欠き３８に対峙する脚板３５の側部にそれぞれ連結部材５１を挿入できる凹部を形成し連結孔３９とすることも良い。この場合連結板３６は不要とすることができる。
【００２９】
以下図５に基づき化粧料保持筒と弾性部の間に安定した摺動力を発生させる他の実施例の説明を加える。
【００３０】
図５（Ａ）は脚板３５の下端側外周に突部２２０を形成した第２の弾性材を有する化粧料保持筒３を示す。皿部３１、スカート部３３からなる化粧料保持筒３はＡＢＳ、ナイロン等の熱可塑性樹脂等の弾性材で一体に成形されている。第２の弾性材は皿部３１の側を固定する片持ち梁構造をなし突部２２０をスリーブ５の内面に接して内側に曲げられ復元力によりスリーブ５内面に押圧力を発生する。
【００３１】
図５（Ｂ）はスカート部３３が皿部３１の側壁を下方に延設すると共にスカート部３３の外周にリング溝２３５を形成しゴム弾性を有するＯリング２３０を装着した化粧料保持筒３を示す。Ｏリング２３０は化粧料保持筒３のリング溝２３５に装着された状態でスリーブ５に嵌挿され第３の弾性材となる。第３の弾性材はスリーブ５とスカート部３３との間で軽く潰され弾性変形する。
【００３２】
また、第３の弾性材はＯリング２３０に代わりＣリングであっても良い。Ｃリングは外径をスリーブ内径より大きくされると共にリング内周にリング溝２３５を装着し遊嵌する。Ｃリングはスカート部３３のリング溝２３５に装着された状態でスリーブ５に嵌挿されて、リング溝２３５Ｃの底部にＣリングのリング内径が接するようバネ変形する。
【００３３】
図５（Ｃ）はスカート部３３が皿部３１の側壁を下方に延設すると共に外周に複数の嵌合穴２４５を有し、嵌合穴２４５に弾性ボール２４０を装着した化粧料保持筒３を示す。
【００３４】
弾性ボール２４０はスカート部３３に設けられた嵌合穴２４５から一部を突出するよう装着され第４の弾性材となる。スリーブ５とスカート部３３との間で軽く潰され弾性変形する。第４の弾性材も第３の弾性材と同様スリーブ５とスカート部３３との間で軽く潰され弾性変形する。
【００３５】
以上説明のとおり、図５の実施例では図１、図４で説明した第１の弾性材同様にスリーブ５とスカート部３３との間の寸法が僅かずれても弾性変形にかかる応力の変動が小さく、棒状化粧料繰出し容器の組立てでばらつきの少ない一定の摺動力を実現できる。
【００３６】
また本発明棒状化粧料繰出し容器にあっては発明の効果の欄に記載する効果を有する。なお本発明について図面に示した特定の実施の形態をもって説明してきたが、本発明は図面に示したこれらの実施の形態に限定されるものではない。
【図面の簡単な説明】
【００３７】
【図１】本発明棒状化粧料繰出し容器の断面説明図である。
【図２】本発明棒状化粧料繰出し容器のキャップ付外観図である。
【図３】本発明棒状化粧料繰出し容器の使用状態外観図である。
【図４】棒状化粧料の繰上げ状態説明図である。
【図５】本発明にかかる化粧料保持筒と弾性部の他の実施例説明図である。
【符号の説明】
【００３８】
１・・・・操作部
３・・・・化粧料保持筒
５・・・・スリーブ
７・・・・中ハカマ
９・・・・本体筒
１１・・・キャップ
１３・・・内キャップ
３１・・・皿部
３２・・・側壁
３３・・・スカート部
３５・・・脚板
３６・・・連結板
３７・・・スプリング係合部
３８・・・切り欠き
３９・・・連結孔
５１・・・連結部材
５３・・・スライド釦
５５・・・スライド釦上縁部
７１・・・操作部ガイド孔
７３・・・釦収納凹部
９１・・・開口縁部
９３・・・大径部
１００・・棒状化粧料
２１０・・板バネ
２２０・・突部
２３０・・Ｏリング
２３５・・リング溝
２４０・・弾性ボール
２４５・・嵌合孔
【図１】
0005305221.tif 000002
【図２】
0005305221.tif 000003
【図３】
0005305221.tif 000004
【図４】
0005305221.tif 000005
【図５】
0005305221.tif 000006